(57)【要約】【課題】ハイビジョンなど複数の映像フォーマットのテレビジョン信号を出力するテレビジョン映像出力装置において、映像表示装置で表示が可能な映像フォーマットにあわせて、フォーマット変換して出力する必要がある。従来は、設置者が、表示可能な映像フォーマットの種別情報や装置の受像能力を現す規格情報を認識した上で、映像フォーマット変換の制御方式について装置の設定を行う必要があった。【解決手段】装置の映像フォーマットの変換方式を設定する際に、映像の表示状態を確認するためのオンスクリーン表示を提示する手段と、映像フォーマットの出力を切り替える手段と、その時のユーザーからの操作情報を判断する手段を備えることで、装置が自動的に接続先の映像表示装置に適した映像フォーマット変換方式を判断し、選択することを実現する。【選択図】図１
2006295577.tif 000002
【特許請求の範囲】
【請求項１】
符号化されたテレビジョン信号が多重されたストリームから映像データを抽出して映像のベースバンド信号への復号を可能とする回路と、復号された映像信号の有効走査線数および走査方式（以下、映像フォーマットと称する）を異なる映像フォーマットへの変換を可能とする変換回路と、変換された映像信号を出力するための映像出力端子と、装置が復号したテレビジョン信号データと変換回路によって映像フォーマットを変換する方式を記憶する記憶メモリーと、リモコンやボタンなどの外部から装置を操作することを目的とした手段のうち最低１つを有し、装置の外部から入力された情報と装置が復号するテレビジョン信号の映像フォーマットの状態を判断して、テレビジョン信号を別の映像フォーマットへ変換を行うための制御を行うマイクロコンピュータ（以下マイコンと称する）と、変換後の映像が出力先の映像表示装置で表示されていることを確認するための手段として操作者に確認結果の入力を促すことを目的とするオンスクリーン画面イメージを生成する回路と、オンスクリーン画面イメージを映像信号に合成して外部に出力するための合成回路と、操作者が確認した入力情報を記憶しておくための不揮発性の記憶メモリーを備え、次回に装置を起動したときにその記憶メモリーに記録されている内容を使用して、装置に接続されている映像表示装置に出力する映像フォーマットを決定することを可能とするマイコンを備えた、テレビジョン映像出力装置。
【請求項２】
電波に伝送されている変調、符号化されたテレビジョン信号を、装置に入力するためのチューナー、変調信号の復調回路を備えた、請求項１に記載のテレビジョン映像出力装置。
【請求項３】
符号化されたテレビジョン信号が記録された、記録媒体（磁気テープ、光ディスク、磁気ディスク）を有し、記録媒体から読み出した信号を装置に入力すること目的とする読出回路を備えることを特徴とする、請求項１に記載のテレビジョン映像出力装置。
【請求項４】
装置から映像表示装置に対して出力している映像が正しく表示されていることを、装置の操作者に対して確認結果の入力を促すための液晶ディスプレイ、蛍光表示管、有機ＥＬまたはＬＥＤなどの情報表示を行うことを目的とした装置を備えた、請求項１に記載のテレビジョン映像信号出力装置。
【発明の詳細な説明】
【技術分野】
【０００１】
本発明は、ハイビジョンなど複数の映像フォーマットのテレビジョン映像信号を出力することが可能な装置に関するものである。
【背景技術】
【０００２】
従来、デジタル放送を受信して、ハイビジョンなどの複数のテレビジョン映像信号出力を出力することが可能な、デジタル放送受信機という装置がある（例えば、特許文献１参照）。
【特許文献１】特開平１１−２０５７２９号公報
【発明の開示】
【発明が解決しようとする課題】
【０００３】
ハイビジョンなど複数の映像フォーマットのテレビジョン信号を出力するテレビジョン映像出力装置において、映像を視聴するために接続された映像表示装置で映像を表示するために、映像表示装置で表示が可能な映像フォーマットにあわせて、装置内で映像フォーマットを変換して出力する必要がある。従来の技術では、装置を設置する人が、接続先の映像表示装置が表示可能な映像フォーマットの種別情報（４８０ｉ、４８０ｐ、１０８０ｉ、７２０ｐなど）や装置の受像能力を現す規格情報（Ｄ１、Ｄ２、Ｄ３、Ｄ４、Ｄ５など）を認識した上で、装置の映像フォーマット変換の制御方式について装置の設定を行う必要があった。しかし、この方法では、設置者が映像表示装置の能力を認識せずに設定を行った場合に、映像表示装置で表示が出来ないフォーマット変換の方式や、映像表示装置の能力より低品位の映像を出力する方式を選択する可能性があった。
【０００４】
本発明は装置の映像フォーマットの変換方式を設定する際に、設置者に、映像の表示状態を確認するため情報を提示する手段と、映像フォーマットの出力を切り替える手段と、その時のユーザーからの操作情報を判断する手段を備えることで、装置が自動的に接続先の映像表示装置に適した映像フォーマット変換方式を判断し、選択することが実現可能なテレビジョン映像信号出力装置を提供することを目的とする。
【課題を解決するための手段】
【０００５】
本発明の請求項１に係るテレビジョン映像信号出力装置は、符号化されたテレビジョン信号が多重されたストリームから映像データを抽出して映像のベースバンド信号への復号を可能とする回路と、復号された映像信号の映像フォーマットを異なる映像フォーマットへの変換を可能とする変換回路と、変換された映像信号を出力するための映像出力端子と、装置が復号したテレビジョン信号データと変換回路によって映像フォーマットを変換する方式を記憶する記憶メモリーと、リモコンやボタンなどの外部から装置を操作することを目的とした手段と、装置の外部から入力された情報と装置が復号するテレビジョン信号の映像フォーマットの状態を判断して、テレビジョン信号を別の映像フォーマットへ変換を行うための制御を行うマイコンと、変換後の映像が出力先の映像表示装置で表示されていることを確認するための手段として操作者に確認結果の入力を促すことを目的とするオンスクリーン画面イメージを生成する回路と、オンスクリーン画面イメージを映像信号に合成して外部に出力するための合成回路と、操作者が確認した入力情報を記憶しておくための不揮発性の記憶メモリーを備え、次回に装置を起動したときにその記憶メモリーに記録されている内容を使用して、装置に接続されている映像表示装置に出力する映像フォーマットを決定することを可能とするマイコンを備えることを特徴とする。
【０００６】
また、本発明の請求項２に係るテレビジョン映像信号出力装置は、請求項１のテレビジョン映像信号出力装置の構成において、電波に伝送されている変調、符号化されたテレビジョン信号を、装置に入力するためのチューナー、変調信号の復調回路を備えることを特徴とする。
【０００７】
また、本発明の請求項３に係るテレビジョン映像信号出力装置は、請求項１のテレビジョン映像信号出力装置の構成において、符号化されたテレビジョン信号が記録された、記録媒体（磁気テープ、光ディスク、磁気ディスク）を有し、記録媒体から読み出した信号を装置に入力すること目的とする読出回路を備えることを特徴とする。
【０００８】
また、本発明の請求項４に係るテレビジョン映像信号出力装置は、請求項１のテレビジョン映像信号出力装置の構成において、装置から映像表示装置に対して出力している映像が正しく表示されていることを、装置の操作者に対して確認結果の入力を促すための液晶ディスプレイ、蛍光表示管、有機ＥＬまたはＬＥＤなどの情報表示を行うことを目的とした装置を備えることを特徴とする。
【発明の効果】
【０００９】
本発明により、映像出力装置の映像フォーマット変換の方式を設定において、設置者が接続先の映像表示装置で表示できる映像フォーマットの種類を知らなくとも、映像出力装置を操作するだけで、出力先の映像表示装置の能力に最適な映像フォーマット変換方式を設定することが可能となる。
【発明を実施するための最良の形態】
【００１０】
（実施の形態）
図１は、本発明の請求項２に係る、デジタル放送受信を目的としたセットトップボックス（以下ＳＴＢと称す）の構成を示すブロック図である。以下、ＳＴＢの基本構成について説明する。ＳＴＢは、操作者がチャンネル番号などのユーザー選択情報を入力する手段として、外部のリモコンから赤外線信号を受信する入力端子１１２を備える。外部から入力された情報は、マイクロコンピュータ（以下マイコンと称す）１１４に送られる。マイコンでは入力された情報に応じて後に説明する各回路ブロックの制御する機能を備え、最終的には装置から映像や音声を出力させることを特徴としている。
【００１１】
次に、ＳＴＢに対してリモコン入力端子から選局操作が行なわれたときの、各回路ブロックの動作の特徴について説明する。ＳＴＢには、放送受信用のアンテナなどから接続された信号ケーブルを経由して、アンテナ入力端子１１２に放送波が入力された後、１０１のフロントエンドモジュール（以下ＦＥＭ）に入力される。マイコンは選局操作によって入力されたチャンネル情報をもとにＦＥＭで、周波数の検波、伝送路符号化（ＱＰＳＫ，ＱＡＭなど）された信号の復調処理、誤り訂正処理などを行うように、ＦＥＭの制御を行う。その結果、ＦＥＭからは符号化されたテレビジョン信号が多重化されたストリーム（ＭＰＥＧ２トランスポートストリーム）が出力され、トランスポートストリームデコーダ（以下ＴＤと称す）１０２に入力される。ＴＤでは、マイコンが操作者から入力されたチャンネル情報をもとに、チャンネルに応じた選局データ（ＰＡＴ，ＰＭＴなど）をストリームから抽出を行うように指示を行う。そこで、抽出された選局データから、選局操作されたチャンネル情報に対応する、映像ストリームや音声ストリームを抽出するためにＴＤを制御する。その結果、ＴＤで抽出された映像データは、１０３のビデオデコーダ（以下ＶＤと称す）に入力され、ＶＤでベースバンドの映像データに復号される。ＶＤで復号された映像データは、オンスクリーン合成回路１０４を経て、映像フォーマット変換回路１０５に入力される。ただし、本実施例ではオンスクリーンの合成を後に説明する映像フォーマット変換回路の後段（１０６）にも備えているが、オンスクリーンをどこで合成するかについては本発明にはどこで行ってもよいとする。映像フォーマット変換回路では、映像データを異なる映像フォーマットに変換する能力を備えている。さらに、ＳＴＢは、接続先の映像表示装置で表示できる映像フォーマット情報を記憶することができる、一時記憶メモリー１１６と不揮発性記憶メモリー１１７を備えている、マイコンは不揮発性記憶メモリーや一時記憶メモリーに記憶された情報を元に、映像フォーマット変換回路に入力された映像フォーマットに対して、どの映像フォーマットに変換するかを決定して、映像フォーマット変換回路を制御する。映像フォーマットの変換が行われた映像データは、オンスクリーン合成回路１０６を経て、ＤＡコンバーター１０７に入力される。ＤＡコンバーターでは、映像データをアナログのテレビジョン映像信号に変換が行なわれた後、映像出力端子１０８から外部に接続された映像表示装置などに出力される。一方、ＴＤで抽出された音声データは、オーディオデコーダ１０９（以下ＡＤと称す）に入力され、ベースバンドの音声データに復号される。ＡＤで復号された音声データは、ＤＡコンバータ１１０でアナログの音声信号に変換された後、音声出力端子１１１から外部の装置に出力される。また、ＳＴＢは、操作者に対して、現在選局されているチャンネル番号や、情報入力を促すためのオンスクリーン画像を生成する回路１１５と、オンスクリーン生成回路で生成されたオンスクリーン画像を、映像に重畳するための合成回路１０４、１０６を備える。
【００１２】
次に、本発明の外部に接続している映像表示装置の能力に応じた最適な映像フォーマット変換方式を選択するための処理について、図２に示すフローチャートを用いて説明する。以下に説明するのは、ＳＴＢの映像フォーマット変換方式の選択方法に関する操作手順である。ここで説明するＳＴＢは（低品位の順に）４８０ｉ、４８０ｐ、１０８０ｉ、７２０ｐの４通りの映像フォーマットに変換する映像フォーマット変換回路を備える場合である。
【００１３】
装置を設置する際は、接続先の映像表示装置が表示できる映像フォーマットの情報がわからないため、装置が出力可能な最も低品位の映像フォーマット（４８０ｉ）に変換して映像信号を出力するように、マイコンが映像フォーマット変換回路を制御する。この状態（２０１）から、操作者は映像フォーマット変換方式の選択を行うための操作画面を画面に表示するためにリモコンを操作する。マイコンはリモコン信号を受信すると、オンスクリーン生成回路で、映像フォーマット変換の選択操作を開始することを確認する旨のＯＳＤ（例：図３のＯＳＤイメージ１）を生成し、合成回路で現在出力中の映像に合成して操作者に提示する。図３のＯＳＤイメージ１を提示後は、ＳＴＢは操作者からのリモコン入力の待機状態（２０２）となる。この状態で操作者からの応答を示すリモコン入力があった場合、ＯＳＤイメージ１の合成を解除するようにＯＳＤ合成回路を制御し、さらにマイコンは映像フォーマット変換回路に映像をＳＴＢが変換できる最も高品位（７２０ｐ）の映像フォーマットに変換するように制御する。変換が完了した後に、映像表示装置に映像が正しく表示しているか否かを操作者に確認する旨のＯＳＤ（例：ＯＳＤイメージ２）をＯＳＤ生成回路で生成し、２０１と同様に映像信号に合成して操作者に提示する（２０３）。次に、ＳＴＢは操作者からの確認応答の待機状態となる（２０４）。この状態から一定時間、操作者からの応答がなかった場合は、ＳＴＢに接続されている映像表示装置がＳＴＢで変換できる最も高品位映像フォーマット（７２０ｐ）を受像することができないものと判断して、映像フォーマット変換回路をＳＴＢで変換できる最も低品位の映像フォーマット（４８０ｉ）に変換するように映像フォーマット変換回路を制御する。一方、操作者からの応答があった場合、ＳＴＢに接続されている映像表示装置がＳＴＢで変換できる最も高品位の映像フォーマット（７２０ｐ）を受像することができると判断して、その情報を一時記憶メモリーに保持する。このとき、映像フォーマット変換回路をＳＴＢで変換できる最も低品位の映像フォーマット（４８０ｉ）に変換するように映像フォーマット変換回路を制御しても良いが、そのまま７２０ｐで出力し続けても、どちらでもよい。次に、設定作業を継続することを確認する旨のＯＳＤ（例：ＯＳＤイメージ３）をＯＳＤ生成回路で生成し、２０１と同様に映像信号に合成して操作者に提示する（２０７）。図５のＯＳＤイメージ３を提示した後は操作者からのリモコン入力の待機状態（２０８）となる。この状態で操作者からの応答を示すリモコン入力があった場合、ＯＳＤイメージ３の合成を解除するようにＯＳＤ合成回路を制御し、さらにマイコンは映像フォーマット変換回路に映像をＳＴＢが変換できる２番目に高品位（１０８０ｉ）の映像フォーマットに変換するように制御する（２０９）。変換が完了したら、映像表示装置に映像が正しく表示しているか否かを確認する旨のＯＳＤ（例：ＯＳＤイメージ２）をＯＳＤ生成回路で生成し、２０１と同様に映像信号に合成して操作者に提示する。（２１０）。このあとは、２０４から２０７までのフローと同様の映像フォーマット確認の手順２１０を実施し、ユーザーの操作に応じて、一時記憶メモリーに１０８０ｉの情報を記憶する。このように、ＳＴＢは次々と、出力する映像フォーマットの品位を下げていきながら、ＳＴＢは操作者に映像表示装置での表示確認の確認を促すＯＳＤを提示することで、操作者がＳＴＢで出力できる各映像フォーマットの映像を映像提示装置で正しく表示できているかどうか（映像提示装置にその映像フォーマットを提示する能力があるか否か）を確認し、Ｓ映像表示装置が表示できる映像フォーマットを一時記憶メモリーに記憶していく。そして、ＳＴＢで出力できる映像フォーマットの２番目に最低の品位（４８０ｐ）までこのシーケンスを継続することで、ＳＴＢで出力できる全映像フォーマットに対して、ＳＴＢに接続された映像表示装置で表示することが可能な映像フォーマットが一時記憶メモリーに記憶されたことになる（２１１）。最終的に、一時記憶メモリーに記憶された映像フォーマット情報を、不揮発性メモリーに書き込むことで、映像フォーマット変換方式の選択が完了する（２１２）。上記の手段を用いることで、ＳＴＢが次回起動時に放送受信したテレビジョン映像信号の映像フォーマットが接続先の映像表示装置で表示することが可能か否かを、不揮発性メモリーに記憶されている、接続先の映像表示装置が表示できる映像フォーマットの情報を読み出すことで判断することが可能であり、不揮発性メモリーに記憶されている情報を参照して、受信中の映像フォーマットが接続先の映像表示装置での表示ができないと判断された場合は、不揮発性メモリーに記憶されている情報を元に、接続先の映像表示装置で表示が可能な映像フォーマットに変換してＳＴＢから出力することが可能となる。さらに、このときに変換する映像フォーマットを接続先の映像表示装置で表示が可能な映像フォーマットの中で、最も高品位の映像フォーマットにすることで、接続先の映像表示装置の能力を最大限に利用することが可能となる。
【産業上の利用可能性】
【００１４】
本発明のテレビジョン映像信号出力装置は、映像出力装置の映像フォーマット変換の方式を設定において、設置者が接続先の映像表示装置で表示できる映像フォーマットの種類を知らなくとも、映像出力装置を操作するだけで、出力先の映像表示装置の能力に最適な、映像フォーマット変換方式を設定することが可能となる。本発明は、デジタル放送受信以外にも、符号化された映像信号を含むデータストリームが蓄積された磁気テープ、光ディスク、磁気ディスクなどの蓄積メディアから、データを読み出す装置を備えた機器へも適用することが可能で、ビデオテープレコーダやＤＶＤプレーヤーやハードディスクドライブ機器への適用としても有用である。
【図面の簡単な説明】
【００１５】
【図１】本発命の実施の形態におけるテレビジョン映像信号出力装置の構成を示す図
【図２】本発明の実施の形態における、映像フォーマット変換方式の選択処理を示す図
【図３】本発明の実施の形態における画面表示を示す図
【図４】本発明の実施の形態における画面表示を示す図
【図５】本発明の実施の形態における画面表示を示す図
【図６】本発明の実施の形態における映像イメージを示す図
【図７】本発明の実施の形態における映像イメージを示す図
【符号の説明】
【００１６】
１０１    フロントエンドモジュール（ＦＥＭ）
１０２    トランスポートストリームデコーダ（ＴＤ）
１０３    ビデオデコーダ（ＶＤ）
１０４    ＯＳＤ合成回路
１０５    フォーマット変換回路
１０６    ＯＳＤ合成回路
１０７    ＤＡコンバーター（映像）
１０８    映像出力端子
１０９    オーディオデコーダ（ＡＤ）
１１０    ＤＡコンバーター（音声）
１１１    音声出力端子
１１２    アンテナ入力端子
１１３    リモコン入力端子
１１４    マイクロコンピュータ
１１５    ＯＳＤ生成回路
１１６    一時記憶メモリー
１１７    不揮発性メモリー
２０１    ＯＳＤイメージ１表示処理
２０２    リモコン入力待機状態
２０３    ７２０pフォーマット出力制御
２０４    リモコン入力待機
２０５    一時メモリー保持処理
２０６    ４８０ｉフォーマット出力制御
２０７    ＯＳＤイメージ２表示制御
２０８    リモコン入力待機
２０９    １０８０ｉフォーマット出力制御
２１０    ＯＳＤイメージ３表示制御
２１１    全映像フォーマット制御完了状態
２１２    不揮発性メモリー記憶制御
【図１】
2006295577.tif 000003
【図２】
2006295577.tif 000004
【図３】
2006295577.tif 000005
【図４】
2006295577.tif 000006
【図５】
2006295577.tif 000007
【図６】
2006295577.tif 000008
【図７】
2006295577.tif 000009